(57)【特許請求の範囲】
【請求項１】
線状光源と、前記線状光源からの光を面全体に導く導光板と、前記線状光源からの光を前記導光板の方向に反射するランプリフレクタと、前記導光板の光出射面に配置された光学シートと、前記線状光源、前記導光板、前記ランプリフレクタ及び前記光学シートの位置を規制する枠体とを備えた面状光源装置であって、
前記枠体は前記導光板上まで延設されており、前記枠体の前記導光板上に延設された部分から前記導光板側に突出するように形成された凸部を有し、
前記凸部は、その側面部により前記光学シートの面方向の位置を規制し、その頂部において前記ランプリフレクタと接し、当該ランプリフレクタを前記導光板に対して付勢していることを特徴とする面状光源装置。
【請求項２】
前記凸部の頂部の高さと、当該頂部の前記導光板の間に挟まれたランプリフレクタの厚さの合計の長さを、前記光学シートの厚さよりも長くしたことを特徴とする請求項１に記載の面状光面装置。
【請求項３】
線状光源と、前記線状光源からの光を面全体に導く導光板と、前記線状光源からの光を前記導光板の方向に反射するランプリフレクタと、前記導光板の光出射面に配置された光学シートと、前記線状光源、前記導光板、前記ランプリフレクタ及び前記光学シートの位置を規制する枠体とを備えた面状光源装置であって、
前記枠体は前記導光板上まで延設されており、前記枠体の前記導光板上に延設された部分から前記導光板側に突出するように形成された凸部を有し、
前記凸部は、その側面部により前記光学シートの面方向の位置を規制し、その頂部において前記導光板と接するとともに、前記光学シートの位置を規制する側面部と反対側の側面部が前記導光板の端面よりも外側に配置されていることを特徴とする面状光源装置。
【請求項４】
前記凸部は、その頂部の高さを、前記光学シートの厚さよりも高くしたことを特徴とする請求項３に記載の面状光源装置。
【請求項５】
前記凸部を、前記線状光源に対して平行な帯状としたことを特徴とする請求項１〜４のいずれか１項に記載の面状光源装置。
【請求項６】
前記凸部を、前記光学シートの全周を囲むような帯状体としたことを特徴とする請求項１〜４のいずれか１項に記載の面状光源装置。
【請求項７】
前記凸部は、光を吸収する色としたことを特徴とする請求項１〜６のいずれか１項に記載の面状光源装置。
【請求項８】
請求項１〜７のいずれか１項に記載の面状光源装置を用いた液晶表示装置。
【発明の詳細な説明】
【０００１】
【発明が属する技術分野】
本発明は、面状の光を発する面状光源装置に関し、例えば、液晶表示装置に用いられる面状光源装置に関する。
【０００２】
【従来の技術】
従来の面状光源装置を図９と図１０を用いて説明する。図９は、例えば液晶表示装置に用いられる面状光源装置の構成を示す図である。図において、１は枠体であり、線状光源、導光板、ランプリフレクタ及び光学シート等の位置を規制する。３は光学シートである。光学シート３は、枠体１により位置が規制された導光板等の上面に載せられる。この光学シート３は、線状光源側において位置の固定は行われておらず、主に、線状光源が設けられていない短辺側で枠体１に貼り付けられていた。
【０００３】
この光学シート３と枠体１の取り付け構成を図１０に示す。この構成は、図９のＢ−Ｂの断面を示したものである。図において、４は導光板、１２は両面テープ等の粘着物である。光学シート３は、枠体１に粘着物１２により固定されている。
【０００４】
【発明が解決しようとする課題】
このように従来の技術においては、光学シートを両面テープ等の粘着物により枠体に貼り付けていたため、作業が煩雑となり、また精度よく貼り付け作業を実行することが困難であるという問題点があった。
【０００５】
よって、本発明の目的は、面状光源装置において簡易な構成により光学シート等の位置を規制することである。
【０００６】
【課題を解決するための手段】
本発明に係る面状光源装置は、線状光源（例えば、本実施の形態における線状光源５）と、前記線状光源からの光を面全体に導く導光板（例えば、本実施の形態における導光板４）と、前記線状光源からの光を前記導光板の方向に反射するランプリフレクタ（例えば、本実施の形態におけるランプリフレクタ６）と、前記導光板の光出射面に配置された光学シート（例えば、本実施の形態における光学シート３）と、前記線状光源、前記導光板、前記ランプリフレクタ及び前記光学シートの位置を規制する枠体（例えば、本実施の形態における枠体１）とを備えた面状光源装置であって、前記枠体は前記導光板上まで延設されており、前記枠体の前記導光板上に延設された部分から前記導光板側に突出するように形成された凸部を有し、前記凸部は、その側面部により前記光学シートの面方向の位置を規制し、その頂部において前記ランプリフレクタと接し、当該ランプリフレクタを前記導光板に対して付勢しているものである。このような構成により、光学シートを接着材により貼り付ける作業を行うことなく光学シートの位置を規制することができる。また、このようにすることで、ランプリフレクタの位置固定がなされる。
また、上述の凸部の頂部の高さと、当該頂部の前記導光板の間に挟まれたランプリフレクタの厚さの合計の長さを、前記光学シートの厚さよりも長くすることが望まれる。
本発明の他の態様に係る面状光源装置は、線状光源と、前記線状光源からの光を面全体に導く導光板と、前記線状光源からの光を前記導光板の方向に反射するランプリフレクタと、前記導光板の光出射面に配置された光学シートと、前記線状光源、前記導光板、前記ランプリフレクタ及び前記光学シートの位置を規制する枠体とを備えた面状光源装置であって、前記枠体は前記導光板上まで延設されており、前記枠体の前記導光板上に延設された部分から前記導光板側に突出するように形成された凸部を有し、前記凸部は、その側面部により前記光学シートの面方向の位置を規制し、その頂部において前記導光板と接するとともに、前記光学シートの位置を規制する側面部と反対側の側面部が前記導光板の端面よりも外側に配置されていることが望まれる。これにより、光学シートをより導光板端面まで広げることができ、狭額縁化が可能となり、また、凸部により導光板上面からの光の入射を抑制することができる。
なお、凸部は、その頂部の高さを、前記光学シートの厚さよりも高くすることが望まれる。
【０００７】
上述の凸部を、線状光源に対して平行な帯状体としてもよい。
【０００８】
また、この凸部を、線状光源に対して平行であって、かつ光学シートの全周を囲むような帯状体としてもよい。
【００１４】
凸部は、光を吸収する色とすることが望まれる。これにより凸部と頂部と導光板の上面との間に隙間が発生した場合においても凸部に反射して導光板上面から入ってくる光の多くは凸部により吸収されるため弱い光となり、表示に悪影響を与えることを防止することができる。
【００１５】
上述の面状光源装置は、液晶表示装置において用いられることが望まれる。
【００１６】
【発明の実施の形態】
実施の形態１．
図1は、本発明の実施の形態にかかる面状光源装置を用いた液晶表示装置の構成を示す斜視図である。図１において、１は線状光源、導光板、ランプリフレクタ及び光学シート等の位置を規制する枠体である。３はプリズムシートや拡散シート等の光学シート、４は表示面内に均一に光を導く導光板、６は内側に線状光源１を収納し筒状反射部材より構成されるランプリフレクタである。７はフロントフレーム、８は液晶パネル、９は反射シート、１０はリアフレームである。これらの構成要素がネジ等により固定され液晶表示装置を構成する。ここで、光学シート３は1枚ないし複数枚により構成されている。
【００１７】
図３は、図２に示す面状光源装置の断面Ａ−Ａを示す断面図である。図３において、図１で示した記号と同じ記号を付した構成は、図１の構成と同一又は相当部を示し、説明を省略する。２はその枠体１の一部に設けられた凸部である。５は例えば蛍光管等の線状光源、５１はランプ５のためのランプケーブルである。ここで、線状光源５は1本ないし複数本で構成されているものとする。
【００１８】
また、本実施の形態において凸部２は、線状光源５に対して平行な帯状体としてもよく、また、この凸部２を線状光源に対して平行であってかつ光学シートの全周を囲むような帯状体としてもよい。さらに、この凸部２は、連続でなくてもよい。凸部２は、導光板４の端部の近傍の片側もしくは両端に配置されるように枠体１において一体成形されている。凸部２は、その頂部（底部）において導光板４の上面に接している。また、凸部２の一側面は、光学シート３の位置を規制している。また、この光学シート３の位置を規制している側面と反対側の側面は、導光板４の端面よりも外側に配置されている。これにより、さらに光学シート３をより導光板４の端面まで広げることができ、狭額縁化が可能となり、また、凸部２により導光板４の上面からの光の入射を抑制することができる。また、部品の点数を削減することができる。さらに、精度が悪い貼り付け作業を行うことなく、光学シート３の位置を規制することができる。
【００１９】
実施の形態２．
図４に実施の形態２にかかる面状光源装置の主要構成部材の断面図を示す。図１、３で示した記号と同じ記号を付した構成は、図１の構成と同一又は相当部を示し、説明を省略する。
【００２０】
この実施の形態２にかかる面状光源装置では、凸部２の頂部と導光板４の上面との間にランプリフレクタ６の一部が介在している。この凸部２は、ランプリフレクタ６を導光板４に対して付勢している。これにより、ランプリフレクタ６の位置固定が可能となり、また、同時に光学シートの位置の規制も可能となる。
【００２１】
実施の形態３．
図５は本実施の形態３にかかる面状光源装置の主要構成部材の断面図である。図１、３で示した記号と同じ記号を付した構成は、図１の構成と同一又は相当部を示し、説明を省略する。
【００２２】
凸部２をランプリフレクタ６と光学シート３の間に位置させることで、ランプリフレクタ６および光学シート３の位置を規制することが可能となる。本実施の形態においても、実施の形態１及び２と同様、凸部２は連続的でなくてもよい。
【００２３】
実施の形態４．
図６に本実施の形態４にかかる面状光源装置の主要構成部材の断面図を示す。図１、３で示した記号と同じ記号を付した構成は、図１の構成と同一又は相当部を示し、説明を省略する。
【００２４】
この面状光源装置では、凸部２の面状光源側の側面を導光板４の端面と一致するよう構成している。このように凸部の側面を導光板４の端面に一致させることで、凸部の位置を表示エリアから遠ざけることができ、光学シートの端面も表示エリアから遠ざけることができる。狭額線化が進むと、表示エリアから凸部までの距離が小さくなり、光学シートの端面が表示に現れるという現象が起こる。つまり、本構造にすることで、光学シートをより導光板上面まで広げることができ、狭額縁化が可能となり、また、凸部により導光板上面からの入射光を抑えることができる。
【００２５】
実施の形態５．
図７は本実施の形態５にかかる面状光源装置の主要構成部材の断面図を示す。図１、３で示した記号と同じ記号を付した構成は、図１の構成と同一又は相当部を示し、説明を省略する。
【００２６】
この実施の形態５では、特に凸部２が導光板４の内面および導光板４の端を含み、導光板４の端より外まで伸はす構造となっている。即ち、凸部２は、その頂部において導光板４と接するとともに、光学シート３の位置を規制する側面部と反対側の側面部が導光板４の端面よりも外側に配置されている。このような構成にすることにより、実施の形態４よりさらに光学シートを広げることができ、より狭額縁化が可能となる。また、実施の形態４よりさらに導光板上面からの入射光を抑えることが可能となる。
【００２７】
実施の形態６．
図８は本実施の形態６にかかる面状光源装置の主要構成部材の断面図を示す。図１、３で示した記号と同じ記号を付した構成は、図１の構成と同一又は相当部を示し、説明を省略する。
【００２８】
図８において、１１は、ランプ５から出た光を示す。ランプから出た光は、導光板４の端面から入射する分については問題が生じないが、導光板４の上面から入射する光は、光のムラを生じさせる。そのため、図８における光１１は光ムラを生じさせる原因となる。
【００２９】
この実施の形態６では、特に凸部２を光を吸収する色としている。光を吸収する色には、黒色、灰色等の暗い色が含まれる。
【００３０】
実施の形態４、５において仮に組立上のバラツキが発生し、凸部２の底面と導光板４の上面との間に隙間が発生した場合においても、凸部２に反射して導光板上面から入ってくる光の多くは凸部２に吸収されているため弱い光となり、表示には影響を与えない。
【００３１】
【発明の効果】
本発明により、面状光源装置において簡易な構成により光学シート等の位置を規制することができる。
【図面の簡単な説明】
【図１】本発明の実施の形態１にかかる面状光源装置を用いた液晶表示装置の構成を示す斜視図である。
【図２】本発明の実施の形態１にかかる面状光源装置を示す図である。
【図３】図２に示す面状光源装置の断面Ａ−Ａを示す断面図である。
【図４】本発明の実施の形態２にかかる面状光源装置の主要構成部材の断面図である。
【図５】本発明の実施の形態３にかかる面状光源装置の主要構成部材の断面図である。
【図６】本発明の実施の形態４にかかる面状光源装置の主要構成部材の断面図である。
【図７】本発明の実施の形態５にかかる面状光源装置の主要構成部材の断面図である。
【図８】本発明の実施の形態６にかかる面状光源装置の主要構成部材の断面図である。
【図９】従来の面状光源装置を示す図である。
【図１０】従来の面状光源装置の断面図である。
【符号の説明】
１  枠体  ２  凸部  ３  光学シート  ４  導光板  ５  線状光源
６  ランプリフレクタ  ７  フロントフレーム  ８  パネル
９  反射シート  １０  リアフレーム  １１  ランプから出た光
１２  両面テープ等の粘着物
【図１】
0004255607.tif 000002
【図２】
0004255607.tif 000003
【図３】
0004255607.tif 000004
【図４】
0004255607.tif 000005
【図５】
0004255607.tif 000006
【図６】
0004255607.tif 000007
【図７】
0004255607.tif 000008
【図８】
0004255607.tif 000009
【図９】
0004255607.tif 000010
【図１０】
0004255607.tif 000011